(57)【要約】【課題】正確に焼き付きを防止することの可能な表示装置を提供する。【解決手段】各ダミー画素１６に、互いに異なる大きさの信号電圧が印加され、その信号電圧の大きさに応じた輝度で各ダミー画素１６が発光し、各ダミー画素１６に流れる電流が電流測定回路２６で検知される。各ダミー画素１８に、互いに異なる大きさの定電流が流され、その定電流の大きさに応じた輝度で各ダミー画素１８が発光し、各ダミー画素１８の発光光が受光素子群１９で検知される。電流測定回路２６から出力された電流信号２６Ａを用いて電流劣化関数Ｉi（ｔ），Ｉｓ（ｔ）が導出され、受光素子群１９から出力された受光信号１９Ａを用い効率劣化関数Ｆi（ｔ），Ｆｓ（ｔ）が導出される。電流劣化関数Ｉi（ｔ），Ｉｓ（ｔ）、効率劣化関数Ｆi（ｔ），Ｆｓ（ｔ）および映像信号２０Ａの履歴から、各表示画素１３の電流劣化率および効率劣化率が予測される。【選択図】図１
2011065048.tif 000002
【特許請求の範囲】
【請求項１】
複数の表示画素が２次元配置された表示領域と、複数の第１ダミー画素および複数の第２ダミー画素が配置された非表示領域とを有する表示パネルと、
各第１ダミー画素に互いに異なる大きさの信号電圧を印加して各第１ダミー画素を発光させる第１駆動部と、
各第２ダミー画素に互いに異なる大きさの定電流を流して各第２ダミー画素を発光させる第２駆動部と、
各第１ダミー画素に流れる電流を検知して各第１ダミー画素の電流情報を出力する電流測定部と、
各第２ダミー画素の発光光を検知して各第２ダミー画素の輝度情報を出力する受光部と、
前記電流情報を用いて電流劣化関数を導出すると共に、前記輝度情報を用い効率劣化関数を導出する演算部と
を備えた表示装置。
【請求項２】
前記電流劣化関数を導出する周期は、前記効率劣化関数を導出する周期よりも短くなっている
請求項１に記載の表示装置。
【請求項３】
前記演算部は、前記電流劣化関数、および各表示画素の映像信号の履歴から、各表示画素の電流劣化率を予測し、予測した各表示画素の電流劣化率と、前記表示パネルのガンマ特性とから映像信号に対する第１補正量を導出する
請求項１または請求項２に記載の表示装置。
【請求項４】
前記演算部は、前記効率劣化関数、および各表示画素の映像信号の履歴から、各表示画素の効率劣化率を予測し、予測した各表示画素の効率劣化率と、前記表示パネルのガンマ特性とから映像信号に対する第２補正量を導出する
請求項３に記載の表示装置。
【発明の詳細な説明】
【技術分野】
【０００１】
本発明は、表示パネルに発光素子が設けられた表示装置に関する。
【背景技術】
【０００２】
近年、画像表示を行う表示装置の分野では、画素の発光素子として、流れる電流値に応じて発光輝度が変化する電流駆動型の光学素子、例えば有機ＥＬ(electro luminescence)素子を用いた表示装置が開発され、商品化が進められている。有機ＥＬ素子は、液晶素子などと異なり自発光素子である。そのため、有機ＥＬ素子を用いた表示装置（有機ＥＬ表示装置）では、光源（バックライト）が必要ないので、光源を必要とする液晶表示装置と比べて、薄型化、高輝度化することができる。特に、駆動方式としてアクティブマトリクス方式を用いた場合には、各画素をホールド点灯させることができ、低消費電力化することもできる。そのため、有機ＥＬ表示装置は、次世代のフラットパネルディスプレイの主流になると期待されている。
【０００３】
しかし、有機ＥＬ素子では、通電する電流量に応じて素子が劣化し、輝度が低下するという問題がある。そのため、有機ＥＬ素子を表示装置の画素として用いた場合には、画素ごとに劣化の状況が異なることがある。例えば、時刻や表示チャンネルなどの情報が長時間、同じ場所に高輝度で表示されていた場合には、その部分の画素だけ劣化が早まる。その結果、劣化の早まった画素を含む部分に高輝度の映像が表示された場合には、劣化の早まった画素の部分だけが暗く表示される焼き付きという現象が生じてしまう。この焼き付きは非可逆性であることから、一旦、焼き付きが生じると、焼き付きが消えることはない。
【０００４】
焼き付きを防止する手法は、今までに多数提案されている。例えば、特許文献１では、表示領域外にダミー画素を設け、ダミー画素を発光させたときの端子電圧を検出することによりダミー画素の劣化度合いを見積もり、その見積もりを利用して映像信号を補正する方法が開示されている。また、例えば、特許文献２，３では、各表示画素内に光センサを配置し、光センサから出力される受光信号を利用して映像信号を補正する方法が開示されている。
【先行技術文献】
【特許文献】
【０００５】
【特許文献１】特開２００２−３５１４０３号公報
【特許文献２】特開２００８−５８４４６号公報
【特許文献３】国際公開番号ＷＯ２００６／０４６１９６
【発明の概要】
【発明が解決しようとする課題】
【０００６】
しかし、特許文献１の手法では、表示領域内の画素の発光情報に基づいて画素の劣化度合いが見積もられておらず、映像信号を正確に補正することが不可能であることから、焼き付きを防止することはできないという問題があった。また、特許文献２，３の手法では、各画素内の光センサの光電変換効率がばらつくので、例えば、同一輝度を表示している２つの画素において、受光信号の大きさが異なってしまうことがある。その結果、正確に焼き付きを防止することができないという問題があった。
【０００７】
本発明はかかる問題点に鑑みてなされたものであり、その目的は、正確に焼き付きを防止することの可能な表示装置を提供することにある。
【課題を解決するための手段】
【０００８】
本発明による表示装置は、複数の表示画素が２次元配置された表示領域と、複数の第１ダミー画素および複数の第２ダミー画素が配置された非表示領域とを有する表示パネルを備えたものである。この表示装置は、また、各第１ダミー画素に互いに異なる大きさの信号電圧を印加して各第１ダミー画素を発光させる第１駆動部と、各第２ダミー画素に互いに異なる大きさの定電流を流して各第２ダミー画素を発光させる第２駆動部とを備えている。この表示装置は、さらに、各第１ダミー画素に流れる電流を検知して各第１ダミー画素の電流情報を出力する電流測定部と、各第２ダミー画素の発光光を検知して各第２ダミー画素の輝度情報を出力する受光部と、電流情報を用いて電流劣化関数を導出すると共に、輝度情報を用い効率劣化関数を導出する演算部とを備えている。
【０００９】
本発明による表示装置では、表示パネルの非表示領域に設けられた各第１ダミー画素に、互いに異なる大きさの信号電圧が印加され、その信号電圧の大きさに応じた輝度で各第１ダミー画素が発光し、各第１ダミー画素に流れる電流が電流測定部で検知され、各第１ダミー画素の電流情報が電流測定部から出力される。また、表示パネルの非表示領域に設けられた各第２ダミー画素に、互いに異なる大きさの定電流が流され、その定電流の大きさに応じた輝度で各第２ダミー画素が発光し、各第２ダミー画素の発光光が受光部で検知され、各第２ダミー画素の輝度情報が受光部から出力される。その後、電流情報を用いて電流劣化関数が導出されると共に、輝度情報を用い効率劣化関数が導出される。これにより、例えば、電流劣化関数、および各表示画素の映像信号の履歴から、各表示画素の電流劣化率を予測することができる。また、効率劣化関数、および各表示画素の映像信号の履歴から、各表示画素の効率劣化率を予測することができる。
【００１０】
ここで、本発明による表示装置において、電流劣化関数を導出する周期は、前記効率劣化関数を導出する周期よりも短くなっていることが好ましい。このようにした場合には、電流が補正された状態で、効率劣化を補正することができる。
【図面の簡単な説明】
【００１１】
【図１】本発明による一実施の形態に係る表示装置の構成の一例を表す概略図である。
【図２】表示領域の画素回路の構成の一例を表す概略図である。
【図３】非表示領域の画素回路の構成の一例を表す概略図である。
【図４】図１の表示パネルの構成の一例を表す上面図である。
【図５】電流劣化率の経時変化の一例を初期電流ごとに表す特性図である。
【図６】電流劣化率と、初期電流ＳSのダミー画素の電流劣化率との関係の一例を表す関係図である。
【図７】べき係数ｎ（Ｓi，Ｓs）と、初期電流の割合Ｓi／Ｓsとの関係の一例を表す関係図である。
【図８】時刻Ｔkでの電流劣化率の予測値ＳS2と、時刻Ｔkでの電流劣化率の測定値ＳS1との関係の一例を表す関係図である。
【図９】時刻Ｔk-1での電流劣化関数Ｉs（ｔ）と、時刻Ｔkでの電流劣化関数Ｉｓ（ｔ）との関係の一例を表す関係図である。
【図１０】べき係数の算定方法の一例について説明するための概念図である。
【図１１】時刻Ｔk-1でのべき係数ｎ（Ｓi，Ｓs）と、時刻Ｔkでのべき係数ｎ（Ｓi，Ｓs）との関係の一例を表す関係図である。
【図１２】電流劣化関数Ｉi（ｔ）の算定方法の一例について説明するための概念図である。
【図１３】基準輝度における累積発光時間Ｔxyの導出方法の一例について説明するための概念図である。
【図１４】電流補正量ＲIの導出方法の一例について説明するための概念図である。
【図１５】効率劣化率の経時変化の一例を初期輝度ごとに表す特性図である。
【図１６】効率劣化率と、初期輝度ＹSのダミー画素の効率劣化率との関係の一例を表す関係図である。
【図１７】べき係数ｎ（Ｙi，Ｙs）と、初期輝度の割合Ｙi／Ｙsとの関係の一例を表す関係図である。
【図１８】時刻Ｔkでの効率劣化率の予測値ＹS2と、時刻Ｔkでの効率劣化率の測定値ＹS1との関係の一例を表す関係図である。
【図１９】時刻Ｔk-1での効率劣化関数Ｆs（ｔ）と、時刻Ｔkでの効率劣化関数Ｆｓ（ｔ）との関係の一例を表す関係図である。
【図２０】べき係数の算定方法の一例について説明するための概念図である。
【図２１】時刻Ｔk-1でのべき係数ｎ（Ｙi，Ｙs）と、時刻Ｔkでのべき係数ｎ（Ｙi，Ｙs）との関係の一例を表す関係図である。
【図２２】効率劣化関数Ｆi（ｔ）の算定方法の一例について説明するための概念図である。
【図２３】基準輝度における累積発光時間Ｔxyの導出方法の一例について説明するための概念図である。
【図２４】効率補正量Ｒyの導出方法の一例について説明するための概念図である。
【図２５】上記実施の形態の発光装置の適用例１の外観を表す斜視図である。
【図２６】（Ａ）は適用例２の表側から見た外観を表す斜視図であり、（Ｂ）は裏側から見た外観を表す斜視図である。
【図２７】適用例３の外観を表す斜視図である。
【図２８】適用例４の外観を表す斜視図である。
【図２９】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１２】
以下、発明を実施するための形態について、図面を参照して詳細に説明する。なお、説明は以下の順序で行う。
１．実施の形態(図１〜図２４)
２．変形例（図なし）
・初期電流Ｓiの低い各ダミー画素１６を複数のダミー画素で構成した例
・初期輝度Ｙiの低い各ダミー画素１８を複数のダミー画素で構成した例
・基準画素に不具合が生じた場合に別のダミー画素１６を新たな基準画素に設定          するようにした例
・基準画素に不具合が生じた場合に別のダミー画素１８を新たな基準画素に設定          するようにした例
・サンプリング周期ΔＴ1を可変にした例
・サンプリング周期ΔＴ2を可変にした例
・四則演算だけで、べき係数ｎ（Ｓi，Ｓs）を導出するようにした例
・四則演算だけで、べき係数ｎ（Ｙi，Ｙs）を導出するようにした例
３．適用例(図２５〜図２９)
【００１３】
＜実施の形態＞
（表示装置１の概略構成）
図１は、本発明の第１の実施の形態に係る表示装置１の概略構成を表したものである。この表示装置１は、表示パネル１０と、表示パネル１０を駆動する駆動回路２０とを備えている。
【００１４】
表示パネル１０は、複数の有機ＥＬ素子１１Ｒ，１１Ｇ，１１Ｂが２次元配置された表示領域１２を有している。本実施の形態では、互いに隣り合う３つの有機ＥＬ素子１１Ｒ，１１Ｇ，１１Ｂが１つの画素（表示画素１３）を構成している。なお、以下では、有機ＥＬ素子１１Ｒ，１１Ｇ，１１Ｂの総称として有機ＥＬ素子１１を適宜、用いるものとする。表示パネル１０は、また、複数の有機ＥＬ素子１４Ｒ，１４Ｇ，１４Ｂが２次元配置された非表示領域１５を有している。本実施の形態では、互いに隣り合う３つの有機ＥＬ素子１４Ｒ，１４Ｇ，１４Ｂが１つの画素（ダミー画素１６）を構成している。なお、以下では、有機ＥＬ素子１４Ｒ，１４Ｇ，１４Ｂの総称として有機ＥＬ素子１３を適宜、用いるものとする。
【００１５】
非表示領域１５には、さらに、複数の有機ＥＬ素子１７Ｒ，１７Ｇ，１７Ｂが２次元配置されている。本実施の形態では、互いに隣り合う３つの有機ＥＬ素子１７Ｒ，１７Ｇ，１７Ｂが１つの画素（ダミー画素１８）を構成している。なお、以下では、有機ＥＬ素子１７Ｒ，１７Ｇ，１７Ｂの総称として有機ＥＬ素子１７を適宜、用いるものとする。非表示領域１５には、有機ＥＬ素子１７Ｒ，１７Ｇ，１７Ｂから発せられた光を受光する受光素子群１９（受光部）が設けられている。受光素子群１９は、例えば、図示しないが、複数の受光素子からなる。複数の受光素子は、例えば、個々の有機ＥＬ素子１７と対となって２次元配置されており、各受光素子は、各ダミー画素１８（各有機ＥＬ素子１７）から発せられた光（発光光）を検知して、各ダミー画素１８の受光信号１９Ａ（輝度情報）を出力するようになっている。各受光素子は、例えば、フォトダイオードである。
【００１６】
駆動回路２０は、タイミング生成回路２１、映像信号処理回路２２、信号線駆動回路２３、走査線駆動回路２４、ダミー画素駆動回路２５、電流測定回路２６、計測信号処理回路２７および記憶回路２８を有している。
【００１７】
（画素回路３１）
図２は、表示領域１２内の回路構成の一例を表したものである。表示領域１２内には、複数の画素回路３１が個々の有機ＥＬ素子１１と対となって２次元配置されている。各画素回路３１は、例えば、駆動トランジスタＴｒ1、書き込みトランジスタＴｒ2および保持容量Ｃsによって構成されたものであり、２Ｔｒ１Ｃの回路構成となっている。駆動トランジスタＴｒ1および書き込みトランジスタＴｒ2は、例えば、ｎチャネルＭＯＳ型の薄膜トランジスタ（ＴＦＴ（Thin Film Transistor））により形成されている。駆動トランジスタＴｒ1または書き込みトランジスタＴｒ2は、ｐチャネルＭＯＳ型のＴＦＴであってもよい。
【００１８】
表示領域１２において、列方向には信号線ＤＴＬが複数配置され、行方向には走査線ＷＳＬおよび電源線Ｖｃｃがそれぞれ複数配置されている。各信号線ＤＴＬと各走査線ＷＳＬとの交差点近傍には、有機ＥＬ素子１１Ｒ，１１Ｇ，１１Ｂのいずれか一つ（サブピクセル）が設けられている。各信号線ＤＴＬは、信号線駆動回路２３の出力端（図示せず）と、書き込みトランジスタＴｒ2のドレイン電極（図示せず）に接続されている。各走査線ＷＳＬは、走査線駆動回路２４の出力端（図示せず）と、書き込みトランジスタＴｒ2のゲート電極（図示せず）に接続されている。各電源線Ｖｃｃは、電源の出力端（図示せず）と、駆動トランジスタＴｒ1のドレイン電極（図示せず）に接続されている。書き込みトランジスタＴｒ2のソース電極（図示せず）は、駆動トランジスタＴｒ1のゲート電極（図示せず）と、保持容量Ｃsの一端に接続されている。駆動トランジスタＴｒ1のソース電極（図示せず）と保持容量Ｃsの他端とが、有機ＥＬ素子１１のアノード電極（図示せず）に接続されている。有機ＥＬ素子１１のカソード電極（図示せず）は、例えば、グラウンド線ＧＮＤに接続されている。
【００１９】
図３は、非表示領域１５内の回路構成の一例を表したものである。非表示領域１５内には、画素回路３１と同一構成の複数の画素回路３２が個々の有機ＥＬ素子１３と対となって２次元配置されている。各画素回路３２は、例えば、駆動トランジスタＴｒ1’、書き込みトランジスタＴｒ2’および保持容量Ｃs’によって構成されたものであり、２Ｔｒ１Ｃの回路構成となっている。駆動トランジスタＴｒ1’および書き込みトランジスタＴｒ2’は、例えば、ｎチャネルＭＯＳ型のＴＦＴにより形成されている。駆動トランジスタＴｒ1’または書き込みトランジスタＴｒ2’は、ｐチャネルＭＯＳ型のＴＦＴであってもよい。
【００２０】
非表示領域１５においても、列方向には信号線ＤＴＬ’が複数配置され、行方向には走査線ＷＳＬ’および電源線Ｖｃｃ’がそれぞれ複数配置されている。各信号線ＤＴＬ’と各走査線ＷＳＬ’との交差点近傍には、有機ＥＬ素子１４Ｒ，１４Ｇ，１４Ｂのいずれか一つ（サブピクセル）が設けられている。各信号線ＤＴＬ’は、ダミー画素駆動回路２５の出力端（図示せず）と、書き込みトランジスタＴｒ2’のドレイン電極（図示せず）に接続されている。各走査線ＷＳＬ’は、ダミー画素駆動回路２５の出力端（図示せず）と、書き込みトランジスタＴｒ2’のゲート電極（図示せず）に接続されている。各電源線Ｖｃｃ’は、電源の出力端（図示せず）と、駆動トランジスタＴｒ1’のドレイン電極（図示せず）に接続されている。書き込みトランジスタＴｒ2’のソース電極（図示せず）は、駆動トランジスタＴｒ1’のゲート電極（図示せず）と、保持容量Ｃs’の一端に接続されている。駆動トランジスタＴｒ1’のソース電極（図示せず）と保持容量Ｃs’の他端とが、有機ＥＬ素子１３のアノード電極（図示せず）に接続されている。有機ＥＬ素子１３のカソード電極（図示せず）は、例えば、グラウンド線ＧＮＤに接続されている。
【００２１】
（表示パネル１０の上面構成）
図４は、表示パネル１０の上面構成の一例を表したものである。表示パネル１０は、例えば、駆動パネル３０と封止パネル４０とが封止層（図示せず）を介して貼り合わされた構造となっている。
【００２２】
駆動パネル３０は、図４に示していないが、表示領域１２に、２次元配置された複数の有機ＥＬ素子１１と、各有機ＥＬ素子１１に隣接して配置された複数の画素回路３１とを有している。駆動パネル３０は、また、図４に示していないが、非表示領域１５に、２次元配置された複数の有機ＥＬ素子１３，１６と、各有機ＥＬ素子１７に隣接して配置された複数の受光素子とを有している。
【００２３】
駆動パネル３０の一辺（長辺）には、例えば、図４に示したように、複数の映像信号供給ＴＡＢ５１と、制御信号供給ＴＣＰ５４と、計測信号出力ＴＣＰ５５とが取り付けられている。駆動パネル３０の他の辺（短辺）には、例えば、走査信号供給ＴＡＢ５２が取り付けられている。また、駆動パネル３０の一辺（長辺）であって、かつ映像信号供給ＴＡＢ５１とは異なる辺には、例えば、電源供給ＴＣＰ５３が取り付けられている。映像信号供給ＴＡＢ５１は、信号線駆動回路２３の集積されたＩＣをフィルム状の配線基板の開口に中空配線したものである。走査信号供給ＴＡＢ５２は、走査線駆動回路２４の集積されたＩＣをフィルム状の配線基板の開口に中空配線したものである。電源供給ＴＣＰ５３は、外部の電源と電源線Ｖｃｃ，Ｖｃｃ’とを互いに電気的に接続する複数の配線がフィルム上に形成されたものである。制御信号供給ＴＣＰ５４は、外部のダミー画素駆動回路２５と、ダミー画素１６，１７および受光素子群１９とを互いに電気的に接続する複数の配線がフィルム上に形成されたものである。計測信号出力ＴＣＰ５５は、外部の計測信号処理回路２７と、受光素子群１９とを互いに電気的に接続する複数の配線がフィルム上に形成されたものである。なお、信号線駆動回路２３および走査線駆動回路２４は、ＴＡＢに形成されていなくてもよく、例えば、駆動パネル３０に形成されていてもよい。
【００２４】
封止パネル４０は、例えば、有機ＥＬ素子１１，１３，１６を封止する封止基板（図示せず）と、カラーフィルタ（図示せず）とを有している。カラーフィルタは、例えば、封止基板の表面のうち有機ＥＬ素子１１の光が通過する領域に設けられている。カラーフィルタは、例えば、有機ＥＬ素子１１Ｒ，１１Ｇ，１１Ｂのそれぞれに対応して、赤色用のフィルタ、緑色用のフィルタおよび青色用のフィルタ（図示せず）を有している。封止パネル４０は、例えば、さらに、光反射部（図示せず）を有している。光反射部は、有機ＥＬ素子１７から発せられた光を反射して、受光素子群１９に入射させるものであり、例えば、封止基板の表面のうち有機ＥＬ素子１７の光が通過する領域に設けられている。
【００２５】
（駆動回路２０）
次に、駆動回路２０内の各回路について、図１を参照して説明する。タイミング生成回路２１は、映像信号処理回路２２、信号線駆動回路２３、走査線駆動回路２４、ダミー画素駆動回路２５、電流測定回路２６および計測信号処理回路２７が連動して動作するように制御するものである。
【００２６】
タイミング生成回路２１は、例えば、外部から入力された同期信号２０Ｂに応じて（同期して）、上述した各回路に対して制御信号２１Ａを出力するようになっている。タイミング生成回路２１は、例えば、映像信号処理回路２２、ダミー画素駆動回路２５、電流測定回路２６、計測信号処理回路２７および記憶回路２８などと共に、例えば、表示パネル１０とは別体の制御回路基板（図示せず）上に形成されている。
【００２７】
映像信号処理回路２２は、例えば、制御信号２１Ａの入力に応じて（同期して）、外部から入力されたデジタルの映像信号２０Ａを補正すると共に、補正した後の映像信号をアナログに変換して信号線駆動回路２３に出力するものである。本実施の形態では、映像信号処理回路２２は、記憶回路２８から読み出した補正情報２７Ａ（後述）を用いて映像信号２０Ａを補正するようになっている。映像信号処理回路２２は、例えば、一水平期間ごとに、記憶回路２８から、補正情報２７Ａとして１ライン分の各表示画素１３の補正量（電流補正量ＲI，効率補正量Ｒy）（後述）を読み出し、読み出した補正量（電流補正量ＲI，効率補正量Ｒy）を用いて映像信号２０Ａを補正し、補正後の映像信号２２Ａを信号線駆動回路２３に出力するようになっている。
【００２８】
信号線駆動回路２３は、映像信号処理回路２２から入力されたアナログの映像信号２２Ａを、制御信号２１Ａの入力に応じて（同期して）各信号線ＤＴＬに出力するものである。信号線駆動回路２３は、例えば、図４に示したように、駆動パネル３０の一辺（長辺）に取り付けられた映像信号供給ＴＡＢ５１に設けられている。走査線駆動回路２４は、制御信号２１Ａの入力に応じて（同期して）、複数の走査線ＷＳＬの中から一の走査線ＷＳＬを順次選択するものである。走査線駆動回路２４は、例えば、図４に示したように、駆動パネル３０の他の辺（短辺）に取り付けられた走査信号供給ＴＡＢ５２に設けられている。
【００２９】
計測信号処理回路２７は、受光素子群１９から入力された受光信号１９Ａに基づいて、補正情報２７Ａを導出し、導出した補正情報２７Ａを、制御信号２１Ａの入力に応じて（同期して）記憶回路２８に出力するようになっている。なお、補正情報２７Ａの導出方法については、後に詳述する。記憶回路２８は、計測信号処理回路２７から入力された補正情報２７Ａを格納するものである。記憶回路２８は、格納した補正情報２７Ａを、映像信号処理回路２２によって読み出すことができるようになっている。
【００３０】
（電流補正について）
ダミー画素駆動回路２５は、制御信号２１Ａの入力に応じて（同期して）、各ダミー画素１６に接続された信号線ＤＴＬ’に互いに異なる大きさの信号電圧Ｖsigi（一定値）を印加して各ダミー画素１６を互いに異なる階調で発光させるものである。ダミー画素駆動回路２５は、例えば、ダミー画素１６の数がｎ個である場合に、１番目のダミー画素１６には初期階調がＳ1となるような定電流を流し、２番目のダミー画素１６には初期階調がＳ2（＞Ｓ1）となるような定電流を流し、ｉ番目のダミー画素１６には初期階調がＳi（＞Ｓi-1）となるような定電流を流し、ｎ番目のダミー画素１６には初期階調がＳn（＞Ｓn-1）となるような定電流を流すようになっている。ダミー画素駆動回路２５は、例えば、各ダミー画素１６を発光させた時間を計測するようになっている。
【００３１】
なお、各ダミー画素１６の輝度は、各ダミー画素１６に接続された信号線ＤＴＬ’に一定の値の信号電圧Ｖsigiを印加し続けた場合であっても、例えば、図５に示したように、時間の経過に伴って、徐々に低下する。これは、各ダミー画素１６に接続された画素回路３２に含まれる、駆動トランジスタＴｒ1’などの半導体素子が通電時間（通電積算時間）に応じて劣化していく性質を有しており、その劣化の進行度に応じて電流が流れにくくなるからである。なお、図５中のＳsは、各ダミー画素１６のうち基準画素（後述）として設定された画素内の有機ＥＬ素子１３に流れる初期電流である。
【００３２】
また、各ダミー画素１６内の有機ＥＬ素子１３に流れる電流の劣化率（電流劣化率）の変移は一様ではない。例えば、図６に示したように、基準画素として設定された画素（ダミー画素１６）の電流劣化率を横軸にとると、基準画素の初期電流Ｓsよりも小さな初期輝度のダミー画素１６の電流劣化率の変移は、当初は基準画素の電流劣化よりも緩やかであることがわかる。一方、基準画素の初期電流Ｓsよりも大きな初期電流のダミー画素１６の電流劣化率の変移は、当初は基準画素の電流劣化よりも急峻であることがわかる。図６に例示した各ダミー画素１８の電流劣化率の変移を式で表すと以下のようになる。
【数１】
2011065048.tif 000003
【００３３】
数１において、Ｄsiは、ｉ番目のダミー画素１６の電流劣化率である。Ｄssは、基準画素の電流劣化率である。ｎ（Ｓi，Ｓs）は、基準画素の電流に対するｉ番目のダミー画素１６の電流のべき係数である。べき係数ｎ（Ｓi，Ｓs）は、例えば、以下の式に示したように、（Ｌｏｇ（Ｓi（Ｔk））−Ｌｏｇ（Ｓi（Ｔk-1）））を（Ｌｏｇ（Ｓs（Ｔk））−Ｌｏｇ（Ｙs（Ｓk-1）））で除算することにより導出される。
【数２】
2011065048.tif 000004
【００３４】
数２において、Ｌｏｇ（Ｓs（Ｔk））はＳs（Ｔk）の対数であり、Ｌｏｇ（Ｓs（Ｔk-1））はＳs（Ｔk-1）の対数であり、Ｌｏｇ（Ｓi（Ｔk））はＳi（Ｔk）の対数であり、Ｌｏｇ（Ｓi（Ｔk-1））はＳi（Ｔk-1）の対数である。
【００３５】
また、数２において、Ｓs（Ｔk）は、時刻Ｔkにおける基準画素の電流信号２６Ａ（輝度情報）であり、基準画素の電流情報のうちで最新の電流情報に相当する。また、Ｙs（Ｔk-1）は、時刻Ｔk-1（＜時刻Ｔk）における基準画素の電流信号２６Ａ（電流情報）であり、基準画素の電流情報のうちで最新ではない電流情報に相当する。Ｓi（Ｔk）は、時刻Ｔkにおけるｉ番目のダミー画素１６の電流信号２６Ａ（電流情報）であり、ｉ番目のダミー画素１６（非基準画素）の電流情報のうちで最新の電流情報に相当する。Ｓi（Ｔk-1）は、時刻Ｔk-1におけるｉ番目のダミー画素１６の電流信号２６Ａ（電流情報）であり、ｉ番目のダミー画素１６（非基準画素）の電流情報のうちで最新ではない電流情報に相当する。時刻Ｔk-1と時刻Ｔkとの関係は、例えば、以下の式で表される。
【数３】
2011065048.tif 000005
【００３６】
数３において、ΔＴ1はサンプリング周期である。ここで、サンプリング周期ΔＴ1とは、例えば、計測信号処理回路２７が数２の右辺の分母の値および分子の値を導出する周期を指している。サンプリング周期ΔＴ1は、後述のサンプリング周期ΔＴ2よりも短くなっていることが好ましい。計測信号処理回路２７は、サンプリング周期ΔＴ1を常に一定にしている。
【００３７】
上記のようにして導出したべき係数ｎ（Ｓi，Ｓs）は、例えば、図７に示したように、横軸を、基準画素の初期電流Ｓsに対する各ダミー画素１６の初期電流Ｓiの割合（Ｓi／Ｓs）とすると、時刻Ｔkにおいて、初期電流Ｓiが大きくなるにつれて大きくなる右肩上がりの曲線を描く。なお、数２からも明らかなように、べき係数ｎ（Ｓi，Ｓs）は、Ｓs／Ｓsにおいて１である。
【００３８】
次に、図８〜図１４を参照して、映像信号２０Ａの補正に用いる電流補正量ＲIの導出方法について説明する。
【００３９】
（初期設定）
まず、初期設定について説明する。計測信号処理回路２７は、複数のダミー画素１６のうちの一の画素を基準画素として設定する。本実施の形態では、この基準画素は、他のダミー画素１６（非基準画素）に変更されることはなく、常に、同一のダミー画素１６に設定される。
【００４０】
次に、計測信号処理回路２７は、時刻Ｔ1，Ｔ2において、電流測定回路２６から電流信号２６Ａを取得する。具体的には、計測信号処理回路２７は、時刻Ｔ1，Ｔ2において、複数のダミー画素１６のうちの一の画素である基準画素の電流信号２６Ａを電流測定回路２６から取得する。さらに、計測信号処理回路２７は、時刻Ｔ1，Ｔ2において、複数のダミー画素１６のうち基準画素を除く全ての画素である複数の非基準画素の電流信号２６Ａを電流測定回路２６から取得する。続いて、計測信号処理回路２７は、基準画素の電流情報から、基準画素の電流劣化情報（Ｌｏｇ（Ｓs（Ｔ2））−Ｌｏｇ（Ｓs（Ｔ1）））を導出し、各非基準画素の電流情報から、各非基準画素の電流劣化情報（Ｌｏｇ（Ｓi（Ｔ2））−Ｌｏｇ（Ｓi（Ｔ1）））を導出する。
【００４１】
次に、計測信号処理回路２７は、基準画素の電流劣化情報、および各非基準画素の電流劣化情報から、時刻Ｔ2の時点における、基準画素の電流情報に対する各非基準画素の電流情報のべき係数ｎ（Ｓi，Ｓs）を導出する。続いて、計測信号処理回路２７は、基準画素の電流情報から、時刻Ｔ2の時点における、基準画素の電流の経時変化を表す電流劣化関数Ｉｓ（ｔ）を導出する。さらに、計測信号処理回路２７は、電流劣化関数Ｉｓ（ｔ）およびべき係数ｎ（Ｓi，Ｓs）から、時刻Ｔ2の時点における、各非基準画素の電流の経時変化を表す電流劣化関数Ｉi（ｔ）を導出する。このようにして、計測信号処理回路２７は、初期の電流情報を用いて、時刻Ｔ2の時点における電流劣化関数Ｉｓ（ｔ），Ｉi（ｔ）を導出する。
【００４２】
（データの更新）
次に、データの更新について説明する。計測信号処理回路２７は、時刻Ｔk-1，Ｔkにおいて、基準画素の電流信号２６Ａと、複数の非基準画素の電流信号２６Ａを電流測定回路２６から取得する。このときの基準画素の電流信号２６Ａの値（測定値）をＳs1とする（図８参照）。次に、計測信号処理回路２７は、時刻Ｔk-1の時点における電流劣化関数Ｉｓ（ｔ）から、時刻Ｔkにおける基準画素の電流情報を予測する。このときの予測値をＳs2とする（図８参照）。続いて、計測信号処理回路２７は、測定値Ｓs1と予測値Ｓs2とを比較して、測定値Ｓs1と予測値Ｓs2とが互いに一致するか否かを判定する。その結果、例えば、測定値Ｓs1が予測値Ｓs2と一致する場合には、計測信号処理回路２７は、時刻Ｔk-1の時点における電流劣化関数Ｉｓ（ｔ）を、時刻Ｔkの時点における電流劣化関数Ｉｓ（ｔ）とする。一方、計測信号処理回路２７は、測定値Ｓs1と予測値Ｓs2とを比較して、例えば、測定値Ｓs1が予測値Ｓs2と異なる場合には、計測信号処理回路２７は、基準画素の電流情報から、時刻Ｔkの時点における電流劣化関数Ｉｓ（ｔ）を導出する。
【００４３】
次に、計測信号処理回路２７は、基準画素の電流情報から、基準画素の電流劣化情報（Ｌｏｇ（Ｓs（Ｔk））−Ｌｏｇ（Ｓs（Ｔk-1）））を導出する。さらに、計測信号処理回路２７は、複数の非基準画素の電流情報から、各非基準画素の電流劣化情報（Ｌｏｇ（Ｓi（Ｔk））−Ｌｏｇ（Ｓi（Ｔk-1）））を導出する。次に、計測信号処理回路２７は、基準画素の電流劣化情報、および各非基準画素の電流劣化情報から、時刻Ｔkの時点におけるべき係数ｎ（Ｓi，Ｓs）を導出する。
【００４４】
次に、計測信号処理回路２７は、時刻Ｔk-1の時点における電流劣化関数Ｉｓ（ｔ）のパラメータ（例えば、ｐ１，ｐ２，……，ｐｍ）を、時刻Ｔkの時点における電流劣化関数Ｉｓ（ｔ）のパラメータ（例えば、ｐ１’，ｐ２’，……，ｐｍ’）に更新する（図９参照）。つまり、計測信号処理回路２７は、基準画素の電流情報のうち最新の電流情報（Ｓs（Ｔk））と、基準画素の電流情報のうち最新ではない電流情報（Ｓs（Ｔk-1））とに合うように、電流劣化関数Ｉｓ（ｔ）のパラメータを更新する。計測信号処理回路２７は、例えば、新たに求めた電流劣化関数Ｉｓ（ｔ）のパラメータを記憶回路２８に格納する。
【００４５】
次に、計測信号処理回路２７は、時刻Ｔkの時点における電流劣化関数Ｉｓ（ｔ）（図１０参照）と、べき係数ｎ（Ｓi，Ｓs）（図１１参照）とから、時刻Ｔkの時点における電流劣化関数Ｉi（ｔ）を導出する（図１２参照）。具体的には、計測信号処理回路２７は、以下の式を用いて、時刻Ｔkの時点における電流劣化関数Ｉi（ｔ）を導出する。
【数４】
2011065048.tif 000006
【００４６】
次に、計測信号処理回路２７は、時刻Ｔk-1の時点における各非基準画素の電流劣化関数Ｉi（ｔ）のパラメータを、時刻Ｔkの時点における各非基準画素の電流劣化関数Ｉi（ｔ）のパラメータに更新する。計測信号処理回路２７は、例えば、新たに求めた電流劣化関数Ｉi（ｔ）のパラメータを記憶回路２８に格納する。
【００４７】
（電流劣化率の予測）
次に、計測信号処理回路２７は、次のサンプリング期間が到来するまでの間、各表示画素１３の電流劣化率を予測する。具体的には、計測信号処理回路２７は、電流劣化関数Ｉｓ（ｔ）、電流劣化関数Ｉi（ｔ）、および各表示画素１３の映像信号２０Ａの履歴から、各表示画素１３の、基準電流における発光積算時間Ｔxyを導出する。計測信号処理回路２７は、各表示画素１３の、基準電流における発光積算時間Ｔxyを、例えば、以下のようにして求める。
【００４８】
図１３は、各表示画素１３の、基準電流における発光積算時間Ｔxyの導出過程を模式的に表したものである。例えば、図１３に示したように、ある表示画素１３の輝度が、時刻Ｔ＝０〜ｔ1の間、初期電流Ｓ1（初期輝度Ｙ1）で発光し、時刻Ｔ＝ｔ1〜ｔ2の間、初期電流Ｓ2（初期輝度Ｙ2）で発光し、時刻Ｔ＝ｔ2〜ｔ3の間、初期電流Ｓn（初期輝度Ｙn）で発光したとする。このとき、この表示画素１３の輝度は、厳密には、時刻Ｔ＝０〜ｔ1の間、初期電流Ｓ1の劣化曲線に沿って劣化し、時刻Ｔ＝ｔ1〜ｔ2の間、初期電流Ｓ2の劣化曲線に沿って劣化し、時刻Ｔ＝ｔ2〜ｔ3の間、初期電流Ｓnの劣化曲線に沿って劣化する。その結果、この表示画素１３の輝度は、例えば、図１３に示したように４８％まで劣化したとする。したがって、基準画素の電流劣化曲線（Ｉs（ｔ））において劣化率が４８％となるときの時間を求めることにより、この表示画素１３の、基準電流における発光積算時間Ｔxyを求めることができる。このように、各階調における電流劣化曲線上を入力信号の大きさ（階調）に応じて追跡することにより、各表示画素１３の、基準電流における発光積算時間Ｔxy、および各表示画素１３の電流劣化率を求めることができる。
【００４９】
（補正量の導出）
次に、計測信号処理回路２７は、求めた発光積算時間Ｔxy（または、予測した各表示画素１３の電流劣化率）と、表示パネル１０ガンマ特性とから映像信号に対する補正量を導出する。計測信号処理回路２７は、映像信号に対する補正量を、例えば、以下のようにして求める。
【００５０】
図１４は、Ｔ＝０，Ｔxyにおける階調（映像信号２０Ａの値）と輝度との関係の一例を表したものである。Ｔ＝０における階調−輝度特性は、いわゆるガンマ特性と呼ばれるものである。Ｔ＝Ｔxyにおける階調−輝度特性は、ガンマ特性に対して、全階調において、輝度を４８％にまで減衰させたものである。ここで、ある表示画素１３において、映像信号２０Ａの値がＳxyであったとすると、この表示画素１３の輝度は、初期には、図中の白丸に対応する値となっていたことがわかる。つまり、この表示画素１３の輝度は、初期から発光積算時間Ｔxyだけ経過したときに、初期の輝度から４８％にまで減衰した値となっている、と予測することができる。
【００５１】
そこで、計測信号処理回路２７は、初期から発光積算時間Ｔxyだけ経過したときの輝度が初期の輝度と等しくなるように、映像信号２０Ａに掛ける電流補正量ＲIを導出する。具体的には、計測信号処理回路２７は、以下の式を用いて、電流補正量ＲIを導出する。
【数５】
2011065048.tif 000007
【００５２】
数５において、ＧIは、電流補正ゲインであり、上の例では１／０．４８である。ｒは、ガンマ特性の指数（ガンマ値）である。
【００５３】
最後に、計測信号処理回路２７は、電流補正量ＲIを、補正情報２７Ａとして記憶回路２８に格納する。このようにして、計測信号処理回路２７は、画素回路３２に含まれる、駆動トランジスタＴｒ1’などの半導体素子の劣化に起因する効率劣化を補正する。
【００５４】
（効率補正について）
ダミー画素駆動回路２５は、さらに、制御信号２１Ａの入力に応じて（同期して）、各ダミー画素１８に互いに異なる大きさの定電流を流して各ダミー画素１８を発光させるものである。ダミー画素駆動回路２５は、例えば、ダミー画素１８の数がｎ個である場合に、１番目のダミー画素１８には初期輝度がＹ1となるような定電流を流し、２番目のダミー画素１８には初期輝度がＹ2（＞Ｙ1）となるような定電流を流し、ｉ番目のダミー画素１８には初期輝度がＹi（＞Ｙi-1）となるような定電流を流し、ｎ番目のダミー画素１８には初期輝度がＹn（＞Ｙn-1）となるような定電流を流すようになっている。ダミー画素駆動回路２５は、例えば、各ダミー画素１８に電流を流した時間を計測するようになっている。
【００５５】
なお、各ダミー画素１８の輝度は、各ダミー画素１８に定電流を流し続けた場合であっても、例えば、図１５に示したように、時間の経過に伴って、徐々に低下する。これは、各ダミー画素１８に含まれる有機ＥＬ素子１７が通電時間（発光積算時間）に応じて劣化していく性質を有しており、その劣化の進行度に応じて発光効率が低下するからである。なお、図１５中のＹsは、各ダミー画素１８のうち基準画素（後述）として設定された画素の初期輝度である。
【００５６】
また、各ダミー画素１８の効率劣化率の変移は一様ではない。例えば、図１６に示したように、基準画素として設定された画素（ダミー画素１８）の効率劣化率を横軸にとると、基準画素の初期輝度Ｙsよりも小さな初期輝度のダミー画素１８の効率劣化率の変移は、当初は基準画素の効率劣化よりも緩やかであることがわかる。一方、基準画素の初期輝度Ｙsよりも大きな初期輝度のダミー画素１８の効率劣化率の変移は、当初は基準画素の効率劣化よりも急峻であることがわかる。図１６に例示した各ダミー画素１８の効率劣化率の変移を式で表すと以下のようになる。
【数６】
2011065048.tif 000008
【００５７】
数６において、Ｄiは、ｉ番目のダミー画素１８の効率劣化率である。Ｄsは、基準画素の効率劣化率である。ｎ（Ｙi，Ｙs）は、基準画素の輝度に対するｉ番目のダミー画素１８の輝度のべき係数である。べき係数ｎ（Ｙi，Ｙs）は、例えば、以下の式に示したように、（Ｌｏｇ（Ｙi（Ｔk））−Ｌｏｇ（Ｙi（Ｔk-1）））を（Ｌｏｇ（Ｙs（Ｔk））−Ｌｏｇ（Ｙs（Ｔk-1）））で除算することにより導出される。
【数７】
2011065048.tif 000009
【００５８】
数７において、Ｌｏｇ（Ｙs（Ｔk））はＹs（Ｔk）の対数であり、Ｌｏｇ（Ｙs（Ｔk-1））はＹs（Ｔk-1）の対数であり、Ｌｏｇ（Ｙi（Ｔk））はＹi（Ｔk）の対数であり、Ｌｏｇ（Ｙi（Ｔk-1））はＹi（Ｔk-1）の対数である。
【００５９】
また、数７において、Ｙs（Ｔk）は、時刻Ｔkにおける基準画素の受光信号１９Ａ（輝度情報）であり、基準画素の輝度情報のうちで最新の輝度情報に相当する。また、Ｙs（Ｔk-1）は、時刻Ｔk-1（＜時刻Ｔk）における基準画素の受光信号１９Ａ（輝度情報）であり、基準画素の輝度情報のうちで最新ではない輝度情報に相当する。Ｙi（Ｔk）は、時刻Ｔkにおけるｉ番目のダミー画素１８の受光信号１９Ａ（輝度情報）であり、ｉ番目のダミー画素１８（非基準画素）の輝度情報のうちで最新の輝度情報に相当する。Ｙi（Ｔk-1）は、時刻Ｔk-1におけるｉ番目のダミー画素１８の受光信号１９Ａ（輝度情報）であり、ｉ番目のダミー画素１８（非基準画素）の輝度情報のうちで最新ではない輝度情報に相当する。時刻Ｔk-1と時刻Ｔkとの関係は、例えば、以下の式で表される。
【数８】
2011065048.tif 000010
【００６０】
数８において、ΔＴ2はサンプリング周期である。ここで、サンプリング周期ΔＴ2とは、例えば、計測信号処理回路２７が数８の右辺の分母の値および分子の値を導出する周期を指している。計測信号処理回路２７は、サンプリング周期ΔＴ2を常に一定にしている。
【００６１】
上記のようにして導出したべき係数ｎ（Ｙi，Ｙs）は、例えば、図１７に示したように、横軸を、基準画素の初期輝度Ｙsに対する各ダミー画素１６の初期輝度Ｙiの割合（Ｙi／Ｙs）とすると、時刻Ｔkにおいて、初期輝度Ｙiが大きくなるにつれて大きくなる右肩上がりの曲線を描く。なお、数２からも明らかなように、べき係数ｎ（Ｙi，Ｙs）は、Ｙs／Ｙsにおいて１である。
【００６２】
次に、図１８〜図２４を参照して、映像信号２０Ａの補正に用いる効率補正量Ｒyの導出方法について説明する。
【００６３】
（初期設定）
まず、初期設定について説明する。計測信号処理回路２７は、複数のダミー画素１８のうちの一の画素を基準画素として設定する。本実施の形態では、この基準画素は、他のダミー画素１８（非基準画素）に変更されることはなく、常に、同一のダミー画素１８に設定される。
【００６４】
次に、計測信号処理回路２７は、時刻Ｔ1，Ｔ2において、受光素子群１９から受光信号１９Ａを取得する。具体的には、計測信号処理回路２７は、時刻Ｔ1，Ｔ2において、複数のダミー画素１８のうちの一の画素である基準画素の受光信号１９Ａを受光素子群１９から取得する。さらに、計測信号処理回路２７は、時刻Ｔ1，Ｔ2において、複数のダミー画素１８のうち基準画素を除く全ての画素である複数の非基準画素の受光信号１９Ａを受光素子群１９から取得する。続いて、計測信号処理回路２７は、基準画素の輝度情報から、基準画素の効率劣化情報（Ｌｏｇ（Ｙs（Ｔ2））−Ｌｏｇ（Ｙs（Ｔ1）））を導出し、各非基準画素の輝度情報から、各非基準画素の効率劣化情報（Ｌｏｇ（Ｙi（Ｔ2））−Ｌｏｇ（Ｙi（Ｔ1）））を導出する。
【００６５】
次に、計測信号処理回路２７は、基準画素の効率劣化情報、および各非基準画素の効率劣化情報から、時刻Ｔ2の時点における、基準画素の輝度情報に対する各非基準画素の輝度情報のべき係数ｎ（Ｙi，Ｙs）を導出する。続いて、計測信号処理回路２７は、基準画素の輝度情報から、時刻Ｔ2の時点における、基準画素の輝度の経時変化を表す効率劣化関数Ｆｓ（ｔ）を導出する。さらに、計測信号処理回路２７は、効率劣化関数Ｆｓ（ｔ）およびべき係数ｎ（Ｙi，Ｙs）から、時刻Ｔ2の時点における、各非基準画素の輝度の経時変化を表す効率劣化関数Ｆi（ｔ）を導出する。このようにして、計測信号処理回路２７は、初期の輝度情報を用いて、時刻Ｔ2の時点における効率劣化関数Ｆｓ（ｔ），Ｆi（ｔ）を導出する。
【００６６】
（データの更新）
次に、データの更新について説明する。計測信号処理回路２７は、時刻Ｔk-1，Ｔkにおいて、基準画素の受光信号１９Ａと、複数の非基準画素の受光信号１９Ａを受光素子群１９から取得する。このときの基準画素の受光信号１９Ａの値（測定値）をＹs1とする（図１８参照）。次に、計測信号処理回路２７は、時刻Ｔk-1の時点における効率劣化関数Ｆｓ（ｔ）から、時刻Ｔkにおける基準画素の輝度情報を予測する。このときの予測値をＹs2とする（図１８参照）。続いて、計測信号処理回路２７は、測定値Ｙs1と予測値Ｙs2とを比較して、測定値Ｙs1と予測値Ｙs2とが互いに一致するか否かを判定する。その結果、例えば、測定値Ｙs1が予測値Ｙs2と一致する場合には、計測信号処理回路２７は、時刻Ｔk-1の時点における効率劣化関数Ｆｓ（ｔ）を、時刻Ｔkの時点における効率劣化関数Ｆｓ（ｔ）とする。一方、計測信号処理回路２７は、測定値Ｙs1と予測値Ｙs2とを比較して、例えば、測定値Ｙs1が予測値Ｙs2と異なる場合には、計測信号処理回路２７は、基準画素の輝度情報から、時刻Ｔkの時点における効率劣化関数Ｆｓ（ｔ）を導出する。
【００６７】
次に、計測信号処理回路２７は、基準画素の輝度情報から、基準画素の効率劣化情報（Ｌｏｇ（Ｙs（Ｔk））−Ｌｏｇ（Ｙs（Ｔk-1）））を導出する。さらに、計測信号処理回路２７は、複数の非基準画素の輝度情報から、各非基準画素の効率劣化情報（Ｌｏｇ（Ｙi（Ｔk））−Ｌｏｇ（Ｙi（Ｔk-1）））を導出する。次に、計測信号処理回路２７は、基準画素の効率劣化情報、および各非基準画素の効率劣化情報から、時刻Ｔkの時点におけるべき係数ｎ（Ｙi，Ｙs）を導出する。
【００６８】
次に、計測信号処理回路２７は、時刻Ｔk-1の時点における効率劣化関数Ｆｓ（ｔ）のパラメータ（例えば、ｐ１，ｐ２，……，ｐｍ）を、時刻Ｔkの時点における効率劣化関数Ｆｓ（ｔ）のパラメータ（例えば、ｐ１’，ｐ２’，……，ｐｍ’）に更新する（図１９参照）。つまり、計測信号処理回路２７は、基準画素の輝度情報のうち最新の輝度情報（Ｙs（Ｔk））と、基準画素の輝度情報のうち最新ではない輝度情報（Ｙs（Ｔk-1））とに合うように、効率劣化関数Ｆｓ（ｔ）のパラメータを更新する。計測信号処理回路２７は、例えば、新たに求めた効率劣化関数Ｆｓ（ｔ）のパラメータを記憶回路２８に格納する。
【００６９】
次に、計測信号処理回路２７は、時刻Ｔkの時点における効率劣化関数Ｆｓ（ｔ）（図２０参照）と、べき係数ｎ（Ｙi，Ｙs）（図２１参照）とから、時刻Ｔkの時点における効率劣化関数Ｆi（ｔ）を導出する（図２２参照）。具体的には、計測信号処理回路２７は、以下の式を用いて、時刻Ｔkの時点における効率劣化関数Ｆi（ｔ）を導出する。
【数９】
2011065048.tif 000011
【００７０】
次に、計測信号処理回路２７は、時刻Ｔk-1の時点における各非基準画素の効率劣化関数Ｆi（ｔ）のパラメータを、時刻Ｔkの時点における各非基準画素の効率劣化関数Ｆi（ｔ）のパラメータに更新する。計測信号処理回路２７は、例えば、新たに求めた効率劣化関数Ｆi（ｔ）のパラメータを記憶回路２８に格納する。
【００７１】
（効率劣化率の予測）
次に、計測信号処理回路２７は、次のサンプリング期間が到来するまでの間、各表示画素１３の効率劣化率を予測する。具体的には、計測信号処理回路２７は、効率劣化関数Ｆｓ（ｔ）、効率劣化関数Ｆi（ｔ）、および各表示画素１３の映像信号２０Ａの履歴から、各表示画素１３の、基準輝度における発光積算時間Ｔxyを導出する。計測信号処理回路２７は、各表示画素１３の、基準輝度における発光積算時間Ｔxyを、例えば、以下のようにして求める。
【００７２】
図２３は、各表示画素１３の、基準輝度における発光積算時間Ｔxyの導出過程を模式的に表したものである。例えば、図２３に示したように、ある表示画素１３の輝度が、時刻Ｔ＝０〜ｔ1の間、初期輝度Ｙ1で発光し、時刻Ｔ＝ｔ1〜ｔ2の間、初期輝度Ｙ2で発光し、時刻Ｔ＝ｔ2〜ｔ3の間、初期輝度Ｙnで発光したとする。このとき、この表示画素１３の輝度は、厳密には、時刻Ｔ＝０〜ｔ1の間、初期輝度Ｙ1の劣化曲線に沿って劣化し、時刻Ｔ＝ｔ1〜ｔ2の間、初期輝度Ｙ2の劣化曲線に沿って劣化し、時刻Ｔ＝ｔ2〜ｔ3の間、初期輝度Ｙnの劣化曲線に沿って劣化する。その結果、この表示画素１３の輝度は、例えば、図２３に示したように４８％まで劣化したとする。したがって、基準画素の効率劣化曲線（Ｆs（ｔ））において劣化率が４８％となるときの時間を求めることにより、この表示画素１３の、基準輝度における発光積算時間Ｔxyを求めることができる。このように、各階調における効率劣化曲線上を入力信号の大きさ（階調）に応じて追跡することにより、各表示画素１３の、基準輝度における発光積算時間Ｔxy、および各表示画素１３の効率劣化率を求めることができる。
【００７３】
（補正量の導出）
次に、計測信号処理回路２７は、求めた発光積算時間Ｔxy（または、予測した各表示画素１３の効率劣化率）と、表示パネル１０ガンマ特性とから映像信号に対する補正量を導出する。計測信号処理回路２７は、映像信号に対する補正量を、例えば、以下のようにして求める。
【００７４】
図２４は、Ｔ＝０，Ｔxyにおける階調（映像信号２０Ａの値）と輝度との関係の一例を表したものである。Ｔ＝０における階調−輝度特性は、いわゆるガンマ特性と呼ばれるものである。Ｔ＝Ｔxyにおける階調−輝度特性は、ガンマ特性に対して、全階調において、輝度を４８％にまで減衰させたものである。ここで、ある表示画素１３において、映像信号２０Ａの値がＳxyであったとすると、この表示画素１３の輝度は、初期には、図中の白丸に対応する値となっていたことがわかる。つまり、この表示画素１３の輝度は、初期から発光積算時間Ｔxyだけ経過したときに、初期の輝度から４８％にまで減衰した値となっている、と予測することができる。
【００７５】
そこで、計測信号処理回路２７は、初期から発光積算時間Ｔxyだけ経過したときの輝度が初期の輝度と等しくなるように、映像信号２０Ａに掛ける効率補正量Ｒyを導出する。具体的には、計測信号処理回路２７は、以下の式を用いて、効率補正量Ｒyを導出する。
【数１０】
2011065048.tif 000012
【００７６】
数５において、Ｇyは、輝度補正ゲインであり、上の例では１／０．４８である。
【００７７】
最後に、計測信号処理回路２７は、効率補正量Ｒyを、補正情報２７Ａとして記憶回路２８に格納する。このようにして、計測信号処理回路２７は、各ダミー画素１８に含まれる有機ＥＬ素子１７の劣化に起因する発光効率の劣化を補正する。
【００７８】
（動作・効果）
次に、本実施の形態の表示装置１の動作および効果について説明する。表示装置１に対して映像信号２０Ａおよび同期信号２０Ｂが入力される。すると、信号線駆動回路２３および走査線駆動回路２４によって各表示画素１３が駆動され、各表示画素１３の映像信号２０Ａに応じた映像が表示領域１２に表示される。一方で、ダミー画素駆動回路２５によって、各ダミー画素１６に接続された信号線ＤＴＬ’に互いに異なる大きさの信号電圧Ｖsigi（一定値）が印加され、各ダミー画素１６が互いに異なる階調で発光する。その結果、電流測定回路２６から、各ダミー画素１６の有機ＥＬ素子１３に流れる電流値に対応する電流信号２６Ａが出力される。さらに、ダミー画素駆動回路２５によって、各ダミー画素１８が駆動されると同時に受光素子群１９も駆動される。これにより、各ダミー画素１８に、互いに異なる大きさの定電流が流され、その定電流の大きさに応じた輝度で各ダミー画素１８が発光し、各ダミー画素１８の発光光が受光素子群１９で検知される。その結果、受光素子群１９から、各ダミー画素１８の発光光に対応する受光信号１９Ａが出力される。次に、計測信号処理回路２７によって、以下の処理が行われる。
【００７９】
すなわち、電流信号２６Ａから、基準画素の電流信号２６Ａ（電流情報）に対する非基準画素の電流信号２６Ａ（電流情報）のべき係数ｎ（Ｓi，Ｓs）が導出される。次に、基準画素の電流情報から基準画素の電流劣化関数Ｉs（ｔ）が導出されると共に、電流劣化関数Ｉs（ｔ）およびべき係数ｎ（Ｓi，Ｓs）から非基準画素の電流劣化関数Ｉi（ｔ）が導出される。次に、電流劣化関数Ｉs（ｔ）と、電流劣化関数Ｉi（ｔ）と、各表示画素１３の映像信号２０Ａの履歴とを利用して、各表示画素１３の、基準電流における発光積算時間Ｔxyおよび各表示画素１３の電流劣化率が予測される。次に、初期から発光積算時間Ｔxyだけ経過したときの輝度が初期の輝度と等しくなるように、各表示画素１３の映像信号２０Ａに対して電流補正量ＲIが掛けられる。
【００８０】
さらに、受光信号１９Ａから、基準画素の受光信号１９Ａ（輝度情報）に対する非基準画素の受光信号１９Ａ（輝度情報）のべき係数ｎ（Ｙi，Ｙs）が導出される。次に、基準画素の輝度情報から基準画素の効率劣化関数Ｆs（ｔ）が導出されると共に、効率劣化関数Ｆs（ｔ）およびべき係数ｎ（Ｙi，Ｙs）から非基準画素の効率劣化関数Ｆi（ｔ）が導出される。次に、効率劣化関数Ｆs（ｔ）と、効率劣化関数Ｆi（ｔ）と、各表示画素１３の映像信号２０Ａの履歴とを利用して、各表示画素１３の、基準輝度における発光積算時間Ｔxyおよび各表示画素１３の効率劣化率が予測される。次に、初期から発光積算時間Ｔxyだけ経過したときの輝度が初期の輝度と等しくなるように、各表示画素１３の映像信号２０Ａに対して効率補正量Ｒyが掛けられる。
【００８１】
このように、本実施の形態では、電流劣化関数Ｉs（ｔ）と、電流劣化関数Ｉs（ｔ）およびべき係数ｎ（Ｓi，Ｓs）から得られた効率劣化関数Ｉi（ｔ）と、各表示画素１３の映像信号２０Ａの履歴とを利用して、各表示画素１３の電流劣化率が予測される。さらに、効率劣化関数Ｆs（ｔ）と、効率劣化関数Ｆs（ｔ）およびべき係数ｎ（Ｙi，Ｙs）から得られた効率劣化関数Ｆi（ｔ）と、各表示画素１３の映像信号２０Ａの履歴とを利用して、各表示画素１３の効率劣化率が予測される。これにより、高い精度で各表示画素１３の効率劣化を予測することができるので、各表示画素１３の輝度が初期の輝度となるように、各表示画素１３の映像信号２０Ａに対して的確な補正量（電流補正量ＲIおよび効率補正量Ｒy）を掛けることができる。その結果、正確に焼き付きを防止することができる。
【００８２】
また、本実施の形態では、観測時点のデータ（Ｓs（Ｔk）、Ｓs（Ｔk-1）、Ｙs（Ｔk）、Ｙs（Ｔk-1））で、各表示画素１３の電流劣化率および効率劣化率を予測することができる。これにより、長時間観測をすることなく、高い精度で各表示画素の効率劣化を予測することができる。従って、本実施の形態の予測方法は、極めて現実的である。また、本実施の形態では、観測時点のデータで、各表示画素１３の効率劣化率を予測することができることから、更新に必要なメモリ量および計算量を小さく抑えることができる。
【００８３】
＜変形例＞
上記実施の形態では、各表示画素１３の映像信号２０Ａに対して、電流補正量ＲIおよび効率補正量Ｒyの双方の補正がなされていたが、電流補正量ＲIおよび効率補正量Ｒyのいずれか一方の補正だけが実行されてもよい。
【００８４】
また、上記実施の形態では、初期電流Ｓ1〜Ｓnの全てのダミー画素１６が、有機ＥＬ素子１４Ｒ，１４Ｇ，１４Ｂを一組とする単一の画素によって構成されていたが、初期電流Ｓiの低い各ダミー画素１６（低電流画素）を複数のダミー画素（第２ダミー画素）（図示せず）によって構成してもよい。このようにした場合には、計測信号処理回路２７は、複数の第２ダミー画素に接続された有機ＥＬ素子１３に流れる電流の平均値から、数２の右辺の分母または分子を導出することが可能である。これにより、低輝度のダミー画素１６における測定誤差を小さくすることができるので、高い精度で低輝度の表示画素１３の効率劣化を予測することができる。その結果、焼き付きをより一層、正確に防止することができる。
【００８５】
また、上記実施の形態では、初期輝度Ｙ1〜Ｙnの全てのダミー画素１８が、有機ＥＬ素子１７Ｒ，１７Ｇ，１７Ｂを一組とする単一の画素によって構成されていたが、初期輝度Ｙiの低い各ダミー画素１８（低輝度画素）を複数のダミー画素（第３ダミー画素）（図示せず）によって構成してもよい。このようにした場合には、計測信号処理回路２７は、複数の第３ダミー画素の輝度の平均値から、数７の右辺の分母または分子を導出することが可能である。これにより、低輝度のダミー画素１８における測定誤差を小さくすることができるので、高い精度で低輝度の表示画素１３の効率劣化を予測することができる。その結果、焼き付きをより一層、正確に防止することができる。
【００８６】
また、上記実施の形態では、常に特定のダミー画素１６が基準画素となっていたが、必要に応じて、今まで非基準画素であったダミー画素１６が基準画素となってもよい。例えば、計測信号処理回路２７は、基準画素に接続された有機ＥＬ素子１３に流れる電流が所定の値以下となったことを検知したときには、今まで基準画素として設定されていたダミー画素１６を除外すると共に複数の非基準画素のうちの一の画素を新たな基準画素に設定する。その後は、計測信号処理回路２７は、今までと同様にして、数２の右辺の分母および分子を導出する。このようにした場合には、基準画素に不具合が生じた場合でも、継続して、効率劣化を予測することができる。これにより、効率劣化の予測の信頼性を高めることができる。
【００８７】
また、上記実施の形態では、常に特定のダミー画素１８が基準画素となっていたが、必要に応じて、今まで非基準画素であったダミー画素１８が基準画素となってもよい。例えば、計測信号処理回路２７は、基準画素の輝度が所定の値以下となったことを検知したときには、今まで基準画素として設定されていたダミー画素１８を除外すると共に複数の非基準画素のうちの一の画素を新たな基準画素に設定する。その後は、計測信号処理回路２７は、今までと同様にして、数７の右辺の分母および分子を導出する。このようにした場合には、基準画素に不具合が生じた場合でも、継続して、効率劣化を予測することができる。これにより、効率劣化の予測の信頼性を高めることができる。
【００８８】
また、上記実施の形態では、サンプリング周期ΔＴ1が常に一定となっていたが、可変であってもよい。例えば、計測信号処理回路２７が、サンプリング周期ΔＴ1を複数のダミー画素１６の発光累積時間に応じて変化させてもよい。そのようにした場合には、例えば、発光累積時間Ｔxyが長時間に達し、効率劣化があまり生じなくなったときに、サンプリング周期ΔＴ1を長くすることができる。これにより、更新に必要な計算量を小さく抑えることができる。
【００８９】
また、上記実施の形態では、サンプリング周期ΔＴ2が常に一定となっていたが、可変であってもよい。例えば、計測信号処理回路２７が、サンプリング周期ΔＴ2を複数のダミー画素１８の発光累積時間に応じて変化させてもよい。そのようにした場合には、例えば、発光累積時間Ｔxyが長時間に達し、効率劣化があまり生じなくなったときに、サンプリング周期ΔＴ2を長くすることができる。これにより、更新に必要な計算量を小さく抑えることができる。
【００９０】
また、上記実施の形態では、数２を用いて、べき係数ｎ（Ｓi，Ｓs）は導出されていたが、例えば、以下の式を用いて、べき係数ｎ（Ｓi，Ｓs）が導出されてもよい。
【数１１】
2011065048.tif 000013
【数１２】
2011065048.tif 000014
【００９１】
数１１において、右辺第２項の分母は、時刻Ｔｋにおける基準画素の劣化速度である。右辺第２項の分子は、時刻Ｔｋにおける非基準画素の劣化速度である。数１２において、右辺第２項は、時刻Ｔｋにおける基準画素の劣化速度を、時刻Ｔｋにおける非基準画素の劣化速度で除算することにより得られたものである。
【００９２】
数１１または数１２を用いて、べき係数ｎ（Ｓi，Ｓs）を導出するようにした場合には、四則演算だけで、べき係数ｎ（Ｓi，Ｓs）を導出することができ、数２を用いたときのような対数の計算が不要である。従って、本変形例では、数２を用いてべき係数ｎ（Ｓi，Ｓs）を導出した場合よりも、計算量を小さく抑えることができる。
【００９３】
また、上記実施の形態では、数７を用いて、べき係数ｎ（Ｙi，Ｙs）は導出されていたが、例えば、以下の式を用いて、べき係数ｎ（Ｙi，Ｙs）が導出されてもよい。
【数１３】
2011065048.tif 000015
【数１４】
2011065048.tif 000016
【００９４】
数１３において、右辺第２項の分母は、時刻Ｔｋにおける基準画素の劣化速度である。右辺第２項の分子は、時刻Ｔｋにおける非基準画素の劣化速度である。数１４において、右辺第２項は、時刻Ｔｋにおける基準画素の劣化速度を、時刻Ｔｋにおける非基準画素の劣化速度で除算することにより得られたものである。
【００９５】
数１３または数１４を用いて、べき係数ｎ（Ｙi，Ｙs）を導出するようにした場合には、四則演算だけで、べき係数ｎ（Ｙi，Ｙs）を導出することができ、数７を用いたときのような対数の計算が不要である。従って、本変形例では、数７を用いてべき係数ｎ（Ｙi，Ｙs）を導出した場合よりも、計算量を小さく抑えることができる。
【００９６】
＜適用例＞
以下、上記実施の形態およびその変形例で説明した表示装置１の適用例について説明する。上記実施の形態等の表示装置１は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００９７】
（適用例１）
図２５は、上記実施の形態等の表示装置１が適用されるテレビジョン装置の外観を表したものである。このテレビジョン装置は、例えば、フロントパネル３１０およびフィルターガラス３２０を含む映像表示画面部３００を有しており、この映像表示画面部３００は、上記実施の形態等の表示装置１により構成されている。
【００９８】
（適用例２）
図２６は、上記実施の形態等の表示装置１が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、上記実施の形態等の表示装置１により構成されている。
【００９９】
（適用例３）
図２７は、上記実施の形態等の表示装置１が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、上記実施の形態等の表示装置１により構成されている。
【０１００】
（適用例４）
図２８は、上記実施の形態等の表示装置１が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、上記実施の形態等の表示装置１により構成されている。
【０１０１】
（適用例５）
図２９は、上記実施の形態等の表示装置１が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、上記実施の形態等の表示装置１により構成されている。
【符号の説明】
【０１０２】
１…表示装置、１０…表示パネル、１１，１１Ｒ，１１Ｇ，１１Ｂ，１４，１４Ｒ，１４Ｇ，１４Ｂ，１７，１７Ｒ，１７Ｇ，１７Ｂ…有機ＥＬ素子、１２…表示領域、１３…表示画素、１５…非表示領域、１６，１８…ダミー画素、１９…受光素子群、１９Ａ…受光信号、２０…駆動回路、２０Ａ，２２Ａ…映像信号、２０Ｂ…同期信号、２１…タイミング生成回路、２１Ａ…制御信号、２２…映像信号処理回路、２３…信号線駆動回路、２４…走査線駆動回路、２５…ダミー画素駆動回路、２６…電流測定回路、２６Ａ…電流信号、２７…計測信号処理回路、２７Ａ…補正情報、２８…記憶回路、３０…駆動パネル、３１，３２…画素回路、４０…封止パネル、５１…映像信号供給ＴＡＢ、５２…走査信号供給ＴＡＢ、５３…電源供給ＴＣＰ、５４…制御信号供給ＴＣＰ、５５…計測信号出力ＴＣＰ、Ａ，Ｂ…曲線、Ｃs…保持容量、Ｄ，Ｄs，Ｄx，Ｄsi，Ｄss…効率劣化率、ＤＴＬ，ＤＴＬ’…信号線、Ｆi（ｔ），Ｆｓ（ｔ）…効率劣化関数、ＧＮＤ…グラウンド線、Ｉi（ｔ），Ｉｓ（ｔ）…電流劣化関数、ｎ（Ｙi，Ｙs），ｎ（Ｓi，Ｓs）…べき係数、ＲI…電流補正量、Ｒy…効率補正量、Ｓxy…映像信号、Ｔ1，Ｔ2，Ｔx，Ｔk，Ｔk-1…時刻、Ｔｒ1，Ｔｒ1’…駆動トランジスタ、Ｔｒ2，Ｔｒ2’…書き込みトランジスタ、Ｔxy…発光積算時間、Ｖｃｃ，Ｖｃｃ’…電源線、Ｖsigi…信号電圧、ＷＳＬ，ＷＳＬ’…走査線、Ｓs1，Ｙs1…測定値、Ｓs2，Ｙs2…予測値、Ｓ1，Ｓ2，Ｓi，Ｓs，Ｓn…初期電流、Ｙ1，Ｙ2，Ｙi，Ｙs，Ｙn…初期輝度、Ｓi（Ｔk），Ｓi（Ｔk-1），Ｓs（Ｔk），Ｓs（Ｔk-1）…電流情報、Ｙi（Ｔk），Ｙi（Ｔk-1），Ｙs（Ｔk），Ｙs（Ｔk-1）…輝度情報、ΔＴ1，ΔＴ2…サンプリング周期。
【図１】
2011065048.tif 000017
【図２】
2011065048.tif 000018
【図３】
2011065048.tif 000019
【図４】
2011065048.tif 000020
【図５】
2011065048.tif 000021
【図６】
2011065048.tif 000022
【図７】
2011065048.tif 000023
【図８】
2011065048.tif 000024
【図９】
2011065048.tif 000025
【図１０】
2011065048.tif 000026
【図１１】
2011065048.tif 000027
【図１２】
2011065048.tif 000028
【図１３】
2011065048.tif 000029
【図１４】
2011065048.tif 000030
【図１５】
2011065048.tif 000031
【図１６】
2011065048.tif 000032
【図１７】
2011065048.tif 000033
【図１８】
2011065048.tif 000034
【図１９】
2011065048.tif 000035
【図２０】
2011065048.tif 000036
【図２１】
2011065048.tif 000037
【図２２】
2011065048.tif 000038
【図２３】
2011065048.tif 000039
【図２４】
2011065048.tif 000040
【図２５】
2011065048.tif 000041
【図２６】
2011065048.tif 000042
【図２７】
2011065048.tif 000043
【図２８】
2011065048.tif 000044
【図２９】
2011065048.tif 000045